(57)【特許請求の範囲】
【請求項１】
基端部を互いに近接させて机上等に立設された放射方向を向く複数のパネルの基端部同士を連結する連結構造であって、
外周面に、前記複数のパネルの基端部の少なくとも上部がそれぞれ嵌合しうるとともに、上端が閉塞された係合溝が設けられたブロック状の複数の保持部を備え、かつ互いに隣接する保持部同士を、厚さ方向に折り曲げ可能な可撓片をもって連結した連結部材を、前記係合溝が各パネルの基端部の上部にそれぞれ嵌合するようにして、複数のパネルの交差部に上方より嵌合したことを特徴とする複数のパネルの連結構造。
【請求項２】
各パネルの基端部の上端に凹溝を設けるとともに、連結部材における各係合溝の上端に、前記凹溝に上方より嵌合可能な下向きの係合突部を形成した請求項１記載の複数のパネルの連結構造。
【発明の詳細な説明】
【０００１】
【発明の属する技術分野】
本発明は、例えば机やテーブル等の後端に基端部を近接させて立設される複数のパネルの基端部同士、もしくは、コーナー同士を突き合わせて配置された複数の机やテーブルの後端に放射方向を向いて立設される複数のパネルの基端部同士を連結する連結構造に関する。
【０００２】
【従来の技術】
机やテーブル等のコーナー部に例えばパソコン等を載置する際、ディスプレイの背面を隠すために、机等の後端に複数のパネルを直交状に立設することがある。
しかし、ディスプレイが大型のものであると、パネル全体の上下寸法も大となるため、デスクワークの際に圧迫感や閉塞感が生じ、作業環境を悪化させる。
【０００３】
この問題を解決するものとして、図８に示すように、Ｌ字状の机(１)における後端の２辺に、隅部のみをディスプレイ(Ｄ)が隠れる高さの上下寸法とし、他の部分を、それよりも低寸としたパネル(２)を、直交状に立設したものがある。
【０００４】
しかし、このような通常と異なる形状のパネル(２)を用いると、パネルの製造コストが高くなるだけでなく、パソコンの有無やディスプレイの大小等に応じて、パネル(２)の形状を変えたいときなどに、パネル全体を取り変える必要があり、その作業が面倒となる。
【０００５】
そこで、本願の発明者は、通常の一般的な机上パネルにおける交差隅部の上部に、パソコン等のディスプレイが隠れる程度の寸法の補助パネルを着脱可能に取付けることを案出し、上述した種々の問題点を解決することを試みた。
【０００６】
【発明が解決しようとする課題】
しかし、上述のような補助パネルを、通常のパネルの上部に着脱可能に取付けると、特に、薄肉の補助パネルとした際に、上方ほど厚さ方向にぐら付き易くなるという問題があり、補助パネルの交差部同士を、いかに強固に、かつ体裁を損なうことなく容易に連結するかが、課題となっていた。
【０００７】
本発明は、上記課題に鑑みてなされたもので、複数のパネルが交差する基端部同士を、強固に、かつ容易に連結することにより、薄肉のパネルとしても、厚さ方向へのぐら付きを防止しうるようにした、複数のパネルの連結構造を提供することを目的としている。
【０００８】
【課題を解決するための手段】
本発明によると、上記課題は、次のようにして解決される。
（１）基端部を互いに近接させて机上等に立設された放射方向を向く複数のパネルの基端部同士を連結する連結構造であって、外周面に、前記複数のパネルの基端部の少なくとも上部がそれぞれ嵌合しうるとともに、上端が閉塞された係合溝が設けられたブロック状の複数の保持部を備え、かつ互いに隣接する保持部同士を、厚さ方向に折り曲げ可能な可撓片をもって連結した連結部材を、前記係合溝が各パネルの基端部の上部にそれぞれ嵌合するようにして、複数のパネルの交差部に上方より嵌合する。
【０００９】
（２）上記(１)項において、各パネルの基端部の上端に凹溝を設けるとともに、連結部材における各係合溝の上端に、前記凹溝に上方より嵌合可能な下向きの係合突部を形成する。
【００１０】
【発明の実施の形態】
以下、本発明の実施形態を、図面に基づいて説明する。
図１〜図６は、本発明の実施形態を適用したデスクのワークステーションを示すもので、ワークステーション(Ｗ)は、平面視ほほＬ字形をなす４個の机(１)を後端の直角をなす２辺同士を、それぞれ突合わせて配置することにより、平面視概ね十文字状に形成されている。
【００１１】
隣接する机(１)の後端同士が当接する突合わせ境界部には、比較的低寸の長方形をなす４個の机上パネル(３)が、内方の基端部同士が互いに近接するように十文字状に交差させて立設されている。
【００１２】
各机上パネル(３)における交差部の上端部には、放射方向を向く４個の目隠し用の補助パネル(４)が、次のようにして取付けられている。
【００１３】
各補助パネル(４)は、例えば薄肉の不透明または半透明の合成樹脂（アクリル等）により形成され、かつ上下寸法は、隅部に向かうにしたがって漸次大とされている。
【００１４】
図２に拡大して示すように、各机上パネル(３)における基端部の上端には下向きコ字状をなすとともに、上面中央に１対の挟持片(５)(５)を長手方向全長に亘って立設してなる支持部材(６)が、着脱可能として嵌合されている。
【００１５】
支持部材(６)の長さは、上記補助パネル(４)の下端の長さよりも若干短寸とされ、かつ挟持片(５)(５)間の隙間は、補助パネル(４)の下端部が隙間なく挟入しうる寸法とされている。
【００１６】
図６に示すように、各補助パネル(４)における基端部の上端縁には、所要深さの凹溝(７)が形成されている。
【００１７】
各補助パネル(４)を机上パネル(３)の交差部に取付けるには、まず各机上パネル(３)における基端部の上面に、支持部材(６)を嵌合したのち、各支持部材(６)の挟持片(５)(５)間に、補助パネル(４)の下端部を嵌合して垂直に保持する。
【００１８】
図３は、上記支持部材(６)の他の取付例を示すもので、各机上パネル(３)の上端部の両面に、長手方向全長に亘って係止溝(14)(14)を形成し、この両係止溝(14)に、支持部材(６)の下端に形成した内向片(15)を、側方より嵌合させてある。
【００１９】
このようにすると、机上パネル(３)より支持部材(６)が抜け外れるのを防止することができる。
【００２０】
(16)は、各補助パネル(４)の基端部の上部同士を連結するための連結部材で、次のような構造となっている。
【００２１】
連結部材(16)は、同形をなす複数（例えば４個）の縦長ブロック状の保持体(17)における互いに隣接する対向面の後端部同士を、厚さ方向に折り曲げ可能な可撓片(18)により接続して構成され、全体が合成樹脂により一体成形されている。
【００２２】
各保持体(17)の内部には、可撓片(18)と反対側の前面と下端が開口するとともに、上端が閉塞された縦長の係合溝(19)が、上端付近まで形成され、かつ係合溝(19)の上端開口部には、前半部の係合溝(19)の長さを後半部のそれよりも短寸とすることにより、下向きの係合突部(20)が形成されている。
【００２３】
このような形状の連結部材(16)を用いて、４個の補助パネル(４)における基端部同士を連結するには、図５に示すように、各補助パネル(４)を、その対向端間に若干大き目の隙間が形成されるように離間させたのち、上記連結部材(16)の各保持体(17)が、９０°の等間隔をもって離間するように、各可撓片(18)を中心として折り曲げる。
【００２４】
ついで、各保持体(17)の係合溝(19)を、各補助パネル(４)の基端部に上方より嵌合し、下向きの係合突部(20)を、図６に示すように、補助パネル(４)の上端の凹溝(７)に嵌合して係合させる。
【００２５】
これにより、各補助パネル(４)における交差部の上端部が、１個の連結部材(16)により強固に連結され、薄肉のパネルであっても、厚さ方向にぐら付いたりすることはない。
【００２６】
また、連結部材(16)の係合突部(20)が、各補助パネル(４)の凹溝(７)に係合しているため、補助パネル(４)が支持部材(６)の挟持片(５)間において長手方向に位置ずれすることもない。
【００２７】
このように、各机上パネル(３)の交差隅部の上端に、補助パネル(４)を取付けると、図１に示すように、机(１)の後方の隅部に載置したパソコン等のディスプレイ(Ｄ)の付近のみを体裁よく目隠しすることができ、かつそれ以外の部分は、低寸の机上パネル(３)としてあるため、デスクワーク時において、圧迫感や閉塞感が生じることはない。
【００２８】
図７は、上記と同じ連結部材(16)を用いて、１２０°の間隔をもって机上パネル（図示略）に取付けた３個の補助パネル(４)の基端部を連結した例を示すもので、この際には、最外方の１個の保持体(17)をカッター等により切断して取り去り、残りの３個の保持体(17)が、ほぼ１２０°の間隔で離間するように、可撓片(18)を中心として折り曲げたのち、上記と同様、各保持体(17)の係合溝(19)を、各補助パネル(４)の基端部に嵌合するとともに、下向きの係合突部(20)を凹溝(７)に嵌合して係合させればよい。
【００２９】
このような連結部材(16)を用いると、隣接する各補助パネル(４)の間の角度が種々異なっていても、簡単に対応することができる。
【００３０】
本発明は、上記実施形態に限定されるものではなく、連結部材(16)の保持体(17)の数を増減すれば２個又は４個以上の補助パネル(４)の基端部同士を連結することも可能である。
また、連結可能なパネルは、上記のような薄肉の補助パネル(４)に限定されないことは勿論である。
【００３１】
【発明の効果】
請求項１記載の発明によれば、複数のパネルの交差部に、連結部材を上方より嵌合するだけで、各パネルを、倒れたり、ぐらついたりすることなく、簡単に連結することができる。
また、各保持部を可撓片を中心として折り曲げることにより、互いに隣接するパネル同士の間の角度が種々異なるものでも、簡単に対応させて連結することができる。
さらに、最外方の保持部を、可撓片部より切断して取り去ることにより、パネルの個数が少なくなった際でも、１個の連結部材で速やかに対応することができる。
【００３２】
請求項２記載の発明によれば、各パネルが長手方向に位置ずれするのが防止されるので、各パネル同士をより安定的に連結することができる。
【００３３】
【図面の簡単な説明】
【図１】本発明の実施形態を適用したデスクのワークステーションの斜視図である。
【図２】同じく、各補助パネル取付部の拡大斜視図である。
【図３】同じく、机上パネルに対する支持部材の取付変形例を示す要部の斜視図である。
【図４】本発明に用いられる連結部材の斜視図である。
【図５】図４の連結部材を用いて連結された補助パネルの隅部の平面図である。
【図６】図５のＶI−ＶI線の拡大縦断正面図である。
【図７】図４の連結部材による３個の補助パネルの連結例を示す平面図である。
【図８】本発明が適用される机に一体構造パネルを取付けた例を示す斜視図である。
【符号の説明】
(１)机
(３)机上パネル
(４)補助パネル
(５)挟持片
(６)支持部材
(７)凹溝
(14)係止溝
(15)内向片
(16)連結部材
(17)保持体（保持部）
(18)可撓片
(19)係合溝
(20)係合突部
(Ｗ)ワークステーション
【図１】
0003627183.tif 000002
【図２】
0003627183.tif 000003
【図３】
0003627183.tif 000004
【図４】
0003627183.tif 000005
【図５】
0003627183.tif 000006
【図６】
0003627183.tif 000007
【図７】
0003627183.tif 000008
【図８】
0003627183.tif 000009